(57)【要約】【課題】各発光部の面積を画像形成時における隣接画素の間隔と同等かそれ以上に大きく取れるようにすることで各発光部の光量をより大きくし高い露光能力を有する露光装置あるいはその露光装置を搭載した電子写真装置を提供することを目的とする。【解決手段】複数の発光部４４が複数の列を構成して配列され、そのそれぞれが一つの画素を形成するものであって、各発光部４４とその隣の列においてその発光部に最も近い場所にある別の発光部との間が同一列方向に一画素分以上の間隔を有して配置されたものである。【選択図】図６
2006110788.tif 000002
【特許請求の範囲】
【請求項１】
複数の発光部が複数の列を構成して配列され、前記発光部のそれぞれが一つの画素を形成するものであって、各発光部とその隣の列においてその発光部に最も近い場所にある別の発光部との間が同一列方向に一画素分以上の間隔を有して配置された露光装置。
【請求項２】
複数の発光部が複数の列を構成して配列され、前記発光部のそれぞれが一つの画素を形成するものであって、各発光部とその隣の列においてその発光部に最も近い場所にある別の発光部とが同一列方向に奇数画素分ずれて配置された露光装置。
【請求項３】
各発光部は実質的に多角形または円形状を有し、それぞれの最も広い幅長が露光により生成される潜像の画素ピッチと同等かそれ以上となるように形成された請求項１または２に記載の露光装置。
【請求項４】
基材の表面上にそれぞれ複数のアノード電極とカソード電極と隔壁と発光部とが形成され、これらの発光部が長手方向に複数の列を成し、各隔壁が発光部の各列の間に形成され、各カソード電極が発光部の各列の上でかつ隔壁を除く部分にそれぞれ形成され、各隔壁はその一方の側に隣接する発光部とその発光部とは隔壁を挟んで反対の側に隣接する別の発光部との間において少なくとも一つ以上の曲点を有するよう構成された請求項１から３のいずれかに記載の露光装置。
【請求項５】
各隔壁は、その一方の側に隣接する発光部と隔壁を挟んでその反対の側に隣接しかつ最も近い発光部との間に二つの曲点を有し、各曲点の間が全て実質的に直線で、各発光部の列を挟む二つの隔壁の間隔が発光部の周辺部以外において実質的に等しくなるように構成された請求項４に記載の露光装置。
【請求項６】
各アノード電極が各発光部の列毎に１個の発光部がその上に配置されるよう全ての発光部の列にまたがっていて、各アノード電極が面状に形成され、その上に形成される複数の発光部が面状に配置された請求項４に記載の露光装置。
【請求項７】
請求項１または請求項２に記載の露光装置が搭載された電子写真装置。
【発明の詳細な説明】
【技術分野】
【０００１】
本発明は、発光部をライン状に多数配置して構成される発光部アレイからなる露光装置およびその露光装置を搭載した電子写真装置に関する。
【背景技術】
【０００２】
電子写真装置、すなわち帯電した感光体を画像情報に応じて露光して静電潜像を形成し、トナーにより現像し、感光体上に現像されたトナー像を記録紙に転写、加熱して画像を得る電子写真装置の露光装置として、発光ダイオードや有機材料を用いた発光部をライン状に多数配置して構成される発光部アレイを用いて各発光部を個別に点灯（オン・オフ）制御し感光体上に静電潜像を形成する方式と、レーザダイオードを光源としたビームをポリゴンミラーと呼ばれる回転反射体を介して感光体上に走査させて静電潜像を形成する方式に大別される露光装置が提案されている。
【０００３】
一般に、ＬＥＤプリンタ等の発光部アレイからなる露光装置を使用した電子写真装置においては、各発光部を選択的に点灯して光を感光体上に照射するので、レーザプリンタ等のレーザダイオードを露光装置として使用した電子写真装置におけるポリゴンミラーのような可動部がなく高信頼性であり、また、大判サイズのプリント出力を必要とする幅広プリンタの場合には光を主走査方向に走査させるための大きな光学的空間が不要で装置小型化のメリットがある。
【０００４】
このような電子写真装置に用いられる露光装置の一例として、例えば特許文献１に示す光書き込み装置が用いられる。この光書き込み装置の概略構成を図１２および図１３に示す。この光書き込み装置の構成としては、蛍光体層６３が塗布され、制御電極６４のスリツト６５を介して区画された各部分が、それぞれの発光ドットを形成する。陽極導体６２と平行する方向の発光ドットの配列を行方向とし、斜めの方向に配置された発光ドットの配列を列方向とすれば、同一列においては、一つ上の行に配置された発光ドットの角Ｃ１，Ｃ２が、この発光ドットを列方向のドット間隔Ｐｓだけ行方向に平行移動した場合に、下行の発光ドットの角Ｃ３，Ｃ４に一致するように位置決めをする。また、各列の最下行に配置された発光ドットの角Ｃ１，Ｃ２は、これを発光ドットの行数分上方へ平行移動した場合に、次列の先頭に配置された発光ドットの角Ｃ３，Ｃ４と一致するようその配列を選定することにより、連続した線分としての印字が行える。すなわち、発光部は面積的に分布され、かつ副走査方向に隣接する発光部が一直線になるように配置される。これらのそれぞれの一直線になるような配列はいわゆる連続的な千鳥配列を形成しているともいえる。
【０００５】
このことにより陽極導体の走査に同期させて、制御電極を印字信号に応じて選択的に駆動することによって斜め方向に配列された発光ドットの一例を印字単位として、感光ドラムに対する潜像の形成が行われるようにして、回路が簡単化されるものである。
【特許文献１】特開昭６２−４７２５８号公報
【発明の開示】
【発明が解決しようとする課題】
【０００６】
しかしながら上記の特許文献1の露光装置における従来のいわゆる連続的な千鳥配置では、各発光部を隣の発光部と絶縁するための構造が必要である（上記特許文献１においては、陽極導体６２どうしの間隔がこれに相当する）。特に後述する有機ＥＬ素子を光源とする場合は、電極どうしを絶縁するために隔壁と呼称する構造物を設けることが知られている。このような構成においては、各発光部の面積が全ての発光部を一列に隙間なく配列した場合の理想的な最大面積よりも必ず小さくなければならない。しかし発光部の単位面積あたりの発光量が小さいと、発光部の面積を上限一杯に大きく取っても必要な露光量が得られないという課題があった。
【０００７】
本発明は上述の如き従来の課題を解決するためになされたもので、高い露光能力を有する露光装置およびその露光装置を搭載した電子写真装置を提供することを目的とする。
【課題を解決するための手段】
【０００８】
本発明の露光装置は上記目的を達成するために、複数の発光部が複数の列を構成して配列され、そのそれぞれが一つの画素を形成するものであって、各発光部とその隣の列においてその発光部に最も近い場所にある別の発光部との間が同一列方向に一画素分以上の間隔を有して配置されたものである。この構成により各発光部の間がより広くなり、各発光部の最大露光量がより大きくなる。また、本発明の電子写真装置は上記目的を達成するために本発明の露光装置が搭載されたものである。この構成により露光装置の最大露光量が大きくなる。
【発明の効果】
【０００９】
本発明の露光装置によれば、各発光部の間がより広くなるので、各発光部の面積が画像形成時における隣接画素の間隔と同等かそれ以上に大きく取れ、各発光部の最大露光量がより大きくなり、像形成体の表面にダイナミックレンジの広い潜像が形成される。また、本発明の露光装置が搭載された電子写真装置によれば、露光装置の最大露光量が大きくなるので、ダイナミックレンジの広い画像が形成される。
【発明を実施するための最良の形態】
【００１０】
本発明の露光装置は、複数の発光部が複数の列を構成して配列され、そのそれぞれが一つの画素を形成するものであって、各発光部とその隣の列においてその発光部に最も近い場所にある別の発光部との間が同一列方向に一画素分以上の間隔を有して配置された露光装置である。
【００１１】
これにより、各発光部の間がより広くなるので、各発光部の面積が画像形成時における隣接画素の間隔と同等かそれ以上に大きく取れ、各発光部の最大露光量がより大きくなり、像形成体の表面にダイナミックレンジの広い潜像が形成される。
【００１２】
また、複数の発光部が複数の列を構成して配列され、そのそれぞれが一つの画素を形成するものであって、各発光部とその隣の列においてその発光部に最も近い場所にある別の発光部とが同一列方向に奇数画素分ずれて配置されてもよい。
【００１３】
これにより、発光部が特定の角度を持つ複数の直線上に均一に配置され、それらを点灯させる各電極あたりの発光部の数が同じになるので、各発光部の駆動特性のばらつき（立ち上がり時間、立下がり時間、駆動電流値等）が小さくなり、寿命のばらつきも小さくなる。
【００１４】
また、各発光部は実質的に多角形または円形状を有し、それぞれの最も広い幅長が露光により生成される潜像の画素ピッチと同等かそれ以上となるように形成されてもよい。
【００１５】
これにより、全ての発光部を隙間なく一列に配置した場合よりも大きな面積を有する発光部が配置されるので、各発光部の光量がより大きくなる。さらに、その発光部によって形成される画素の周辺部とその隣に形成される画素の周辺部とが互いに重なり合うので、それぞれの画素の周辺部における露光量の低下が補われる。
【００１６】
また、基材の表面上にそれぞれ複数のアノード電極とカソード電極と隔壁と発光部とが形成され、これらの発光部が長手方向に複数の列を成し、各隔壁が発光部の各列の間に形成され、各カソード電極が発光部の各列の上でかつ隔壁を除く部分にそれぞれ形成され、各隔壁はその一方の側に隣接する発光部とその発光部とは隔壁を挟んで反対の側に隣接する別の発光部との間において少なくとも一つ以上の曲点を有するよう構成されてもよい。
【００１７】
これにより、全ての発光部を隙間なく一列に配置した場合より大きな面積を有する発光部が配置されても発光部の隣接する列の間が絶縁され、各発光部の光量がより大きくなる。
【００１８】
また、各隔壁は、その一方の側に隣接する発光部と隔壁を挟んでその反対の側に隣接しかつ最も近い発光部との間に二つの曲点を有し、各曲点の間が全て実質的に直線で、各発光部の列を挟む二つの隔壁の間隔が発光部の周辺部以外において実質的に等しくなるように構成されてもよい。
【００１９】
これにより、各発光部の列を挟む二つの隔壁の間隔が発光素子の周辺部以外において実質的に等しくなり、発光材料が淀みなく均一に塗布されるので、各発光部の形状、厚みや露光量等のばらつきが小さくなる。さらに、曲点の数を減らし、隔壁の直線部分を増加することで、各発光部の列を挟む二つの隔壁の間隔が発光部の周辺部以外において実質的に等しくなり、発光材料を含む溶剤をスピンコート等で塗布する際に溶剤が淀みなく均一に塗布されるので、各発光部の形状、厚みに依存する露光量等のばらつきが小さくなる。
【００２０】
また、各アノード電極が各発光部の列毎に１個の発光部がその上に配置されるよう全ての発光部の列にまたがっていて、各アノード電極が面状に形成され、その上に形成される複数の発光部が面状に配置されてもよい。
【００２１】
これにより、アノード電極のインピーダンスが下がるので、露光装置の駆動特性（立ち上がり時間、立下がり時間、駆動電流値等）が改善され、露光装置の消費電力が小さくなる。
【００２２】
また、これらのうちいずれかの露光装置が電子写真装置に搭載されてもよい。
【００２３】
これにより、露光装置の最大露光量が大きくなるので、ダイナミックレンジの広い画像が形成される。
【実施例】
【００２４】
以下、本発明の具体的な内容について実施例を用いて説明する。
（実施例１）
本発明の露光装置を搭載した電子写真装置の実施例１に係る構成を示した模式図を図１に示す。本電子写真装置は、イエロー、マゼンタ、シアン、ブラックの４色のトナー像を順次感光体上に形成し、感光体上にフルカラー像を形成後、記録紙に転写する構成である。フルカラー画像形成の色順番は、第1色目がイエロー、第２色目がマゼンタ、第３色目がシアン、第４色目がブラックとする。
【００２５】
感光体１は、導電性基体の上に有機系あるいはアモルファスＳｉなどの無機系の感光層を設けたドラム状の回転体である。
【００２６】
２は帯電器で、感光体１を一様な電位に帯電させる手段であり、周知のコロナ帯電器（コロトロン帯電器あるいはスコロトロン帯電器）を用いている。
【００２７】
３は先に説明した本実施例１の露光装置で、感光体１の表面が帯電器２よって一様な電位に帯電された後、画像データに対応して露光装置３に多数形成された各発光部を選択的に発光させることで、感光体１の表面に画像データに対応した静電潜像を形成する。
【００２８】
４〜７は各色の現像器で、ここでは４はイエローの現像器、５はマゼンタの現像器、６はシアンの現像器、７はブラックの現像器とする。各現像器４〜７は、それぞれの内部に格納されている現像ローラ８〜１１を介して感光体１上に形成された静電潜像を現像器４〜７内の各色のトナーにより現像し、感光体１上に各色のトナー像を形成する手段である。
【００２９】
１２は転写手段であり、中間転写ローラ（中間転写体）１３と、この中間転写ローラ１３に記録紙１４を介して押圧力を与える加圧ローラ１５とで構成されている。転写手段１２によって感光体１上のトナー像を記録紙１４に転写する。
【００３０】
１６はクリーナで、転写手段１２によって記録紙１４にトナー像を転写した後に感光体１上に残ったトナーを回収するクリーニング手段である。
【００３１】
以上のような構成を有する図１の電子写真装置の画像形成過程を簡単に説明する。
【００３２】
まず、帯電器２によって感光体１上を一様な電位（例えば−７００Ｖ）に帯電する。そして、第１色目のイエローの画像データに対応して露光装置３の各発光部が選択的に発光し、発光点に対応して感光体１が露光された部位の表面電位が低下する（例えば−１００Ｖ）。これによって感光体１上に−７００Ｖと−１００Ｖの電位勾配による静電潜像が形成される。そして、イエロー現像器４の現像ローラ８（現像のためのトナー層形成部）に所定の電圧（例えば−３００Ｖ）を印加すると、感光体１と現像ローラ８との間に電界が発生し、露光装置３によって感光体１が露光された部位に対し現像ローラ８からトナーが選択的に付着し、感光体１にイエローのトナー像が形成される。
【００３３】
以降、２色目のマゼンタ、３色目のシアン、４色目のブラックのトナー像を各色の現像器５、６、７のそれぞれの現像ローラ９、１０、１１を用いて順次感光体１上に形成し、感光体１上にフルカラーのトナー像を形成する。その後、感光体１上に形成されたトナー像を転写手段１２によって記録紙１４に一括転写する。
【００３４】
図１では中間転写ローラ１３を介して記録紙１４に一括転写する構成であるが、中間転写ローラ１３を介さず感光体１から記録紙１４に直接転写する構成でも良い。感光体１から中間転写ローラ１３への転写および中間転写ローラ１３から記録紙１４への転写においては、いずれも電界による転写あるいは圧力による転写（オフセット転写）を用いることができる。
【００３５】
転写手段１２によってトナー像を転写された記録紙１４は、図１には図示しない定着器によって加熱定着される。その後、フルカラーのトナー像の転写を終えた感光体１上の残存トナーはクリーナ１６によって除去される。
【００３６】
以上のような電子写真装置における露光装置１の構成について、図２〜図１１を用いて説明する。
【００３７】
図２は本発明の実施例１における露光装置３を上面からみた概略構成図である。また、図３は図２のＡ−Ａ線における概略断面図である。
【００３８】
これらの図２および図３に示す露光装置３は、複数の発光部が形成された発光部形成領域３１、発光部を点灯駆動するためのアノードドライバ３２およびカソードドライバ３３、露光装置３と外部との信号のやり取りや電源を露光装置３に供給するための外部Ｉ／Ｆコネクタ３４等がガラス基板３５の一つの表面に実装され、図２および図３においては詳細には示さないがこれらの間は信号線および電源線によって接続されている。本実施例１における発光部形成領域３１およびその周辺部は発光部を形成する発光材料を保護するためにガラス封止され、ガラス封止部３６を形成する。なお、本実施例１における発光部形成領域３１は、ＩＴＯ電極層（ＩＴＯは「Ｉｎｄｉｕｍ−Ｔｉｎ  Ｏｘｉｄｅ＝インジウムスズ酸化物」の略。なおＩＴＯの他にＡＴＯ（ＳｂをドープしたＳｎＯ２ ）、ＡＺＯ（ＡｌをドープしたＺｎＯ）等を用いることが可能である。）、発光材料層、絶縁層、感光性樹脂層、アルミ蒸着層などの複数の層により構成されており、その最上層はアルミ蒸着層である。これらの層の構成については後ほど詳細に説明する。
【００３９】
発光部形成領域３１に形成された複数の発光部は、アノードドライバ３２およびカソードドライバ３３の両方でＯＮ状態になった時のみにはじめて点灯する。これらの発光部から発光された光は、ガラス基板３５を透過して、ガラス基板３５の発光部形成領域３１やアノードドライバ３２およびカソードドライバ３３、外部Ｉ／Ｆコネクタ３４等が実装されている面とは反対側の面、すなわち図３においては「ＯＰＣ  ｓｉｄｅ」より出力される。この「ＯＰＣ  ｓｉｄｅ」にはレンズアレイ３７が配置され、発光部形成領域３１に形成された発光部から発せられる光がその先にある図示しない感光体の表面において適度なスポット径となるように集光される。なお、このような露光装置３は図示しない外装を有するのが通常である。
【００４０】
以上のような構成を有する露光装置３の図２における領域Ｂについて説明する。
【００４１】
図４は、図２の露光装置３の領域Ｂにおける拡大概略構成図である。この図４は図２に示す露光装置３において発光部形成領域３１のアノード配線電極４１およびカソード配線電極４２との接続部分を示している。アノード配線電極４１およびカソード配線電極４２の各配線電極自体は、あらかじめガラス基板３５の表面にＩＴＯ層を形成し、さらにその上に金属層を付したパターンである。アノード配線電極４１およびカソード配線電極４２の発光部形成領域３１の側にある先端部は、図４には示していない発光部形成領域３１に形成される各ＩＴＯ電極に接続される。これらの配線電極については後ほど図示する。
【００４２】
図５は図４における領域Ｃの拡大概略図である。ＩＴＯ層に金属層を付して形成されたアノード配線電極４１の発光部形成領域３１の側にある先端部は、発光部形成領域３１に形成される各アノードＩＴＯ電極４３に接続される（アノード配線電極４１のＩＴＯ部分と、アノードＩＴＯ電極は一体的に形成される）。また、各アノードＩＴＯ電極４３の上には複数の発光部４４の列が形成される。発光部４４の列の表面に蒸着されるアルミ蒸着層を互いに絶縁分離するために、各発光部４４の列の間には隔壁４５が設けられる。
【００４３】
図６は図５における領域Ｄの拡大概略図である。また、図７は図６のＥ−Ｅ線上においてひとつの発光部およびその両側に配置された隔壁部分の概略断面を示す図である。ガラス基板３５の表面上にアノードＩＴＯ電極４３が形成され、その上には絶縁層４６と、感光性樹脂により形成される隔壁４５とが形成される。それらの隔壁４５の間には、例えば有機ＥＬ素子（ＥＬは「Ｅｌｅｃｔｒｏ  Ｌｕｍｉｎｅｓｃｅｎｃｅ（エレクトロ・ルミネッセンス）＝電界発光」の略）からなる発光材料層４７が、例えばスピンコートによって発光材料が含まれる溶液を全面に塗布したのち高温環境下でベイクし溶剤を揮発させることにより形成され、その上にはさらにアルミ蒸着層４８が形成される。このアルミ蒸着層４８がカソード蒸着電極となり、アノードＩＴＯ電極４１を陽極、カソード蒸着層４８を陰極として、これらの発光材料層４７を発光させるための電力が供給される。なお、発光材料層４７およびアルミ蒸着層４８が形成された部分のうち、絶縁層４６の上に形成されていない部分のみが発光部４４となる。これは絶縁層４６により、アノードＩＴＯ電極４１とアルミ蒸着層４８すなわちカソード蒸着電極との間が絶縁され、その結果、その間にある発光材料層に電流が流れず、発光材料層４７が発光しないためである。絶縁層４６が無い部分においては、アノードＩＴＯ電極４３とアルミ蒸着層４８すなわちカソード蒸着電極との間に所定の電圧が印加され、発光材料層４７に電流が流れることで発光材料層４７が励起され、励起状態から基底状態に戻るときのエネルギーが光となって放出される。
【００４４】
図８は図４の領域Ｆの拡大概略図である。すなわち、ＩＴＯ上に金属層を付して形成されたカソード配線電極４２と各アルミ蒸着層４８との接続部分を示したものである。各アルミ蒸着層４８のカソード配線電極４２の側とカソード配線電極４２との間には、アルミ蒸着層４８を形成する前にあらかじめＩＴＯにてカソードＩＴＯ電極４９が形成される（カソード配線電極４８のＩＴＯ部分とカソードＩＴＯ電極４９は一体的に形成される）。これらのカソードＩＴＯ電極４９は、各隔壁４５で仕切られかつアルミ蒸着を行うべき領域まで侵入するように形成される。これによりカソードＩＴＯ電極４９によるカソード配線と、アルミ蒸着によって形成されるアルミ蒸着層４８すなわちカソード蒸着電極とが接続される。
【００４５】
これらの図２〜図８のうち、図５および図６に示す構成は本発明の特徴を有している。すなわち、複数の発光部４４は複数の列を構成して配列され、そのそれぞれが一つの画素を形成するものであって、各発光部４４とその隣の列においてその発光部４４に最も近い場所にある別の発光部との間が同一列方向に一画素分以上の間隔を有して配置されている。これにより各発光部の間がより広くなるので、各発光部の面積は、画像形成時において露光によって生成される静電潜像の画素ピッチと同等かそれ以上に大きく取れ、結果として各発光部の光量がより大きくなる。
【００４６】
通常、それぞれの発光部はその形成工程や経時変化により周辺部の光量が中央部よりも現象する傾向がある。加えて、各発光部より発光された光は露光装置内のレンズアレイを通過するので、その段階でも発光部の周辺部の光量は中央部よりも減少する。以上のような各発光部の構成をとることで各発光部によって形成される画素の周辺部とその隣に形成される画素の周辺部とが互いに重なり合うので、それぞれの画素の周辺部において発生する露光量の低下が補われる。
【００４７】
また、複数の発光部４４が複数の列を構成して配列され、そのそれぞれが一つの画素を形成するものであって、各発光部４４とその隣の列においてその発光部４４に最も近い場所にある別の発光部とが同一列方向に奇数画素分ずれて配置されている。これにより、個々の発光部４４が、特定の角度を持つ複数の直線上に均一に配置され、それらを点灯させる各電極あたりの発光部４４の数が同じになるので、各発光部４４の駆動特性のばらつき（立ち上がり時間、立下がり時間、駆動電流値等）が小さくなり、寿命のばらつきが小さくなる。
【００４８】
そして、各発光部４４は実質的に正方形の形状を有し、それらの辺の長さが露光によって生成される静電潜像の画素ピッチと同等かそれ以上となるように形成されている。これにより、全ての発光部を隙間なく一列に配置した場合よりも大きな面積を有する発光部が配置されるので、各発光部の光量がより大きくなる。
【００４９】
さらに、基材としてのガラス基板３５の表面上にそれぞれ複数のＩＴＯ電極（本実施例１においてはアノード配線電極４１）とカソード電極（本実施例１においては後述する蒸着層によって形成されるカソード蒸着電極）と隔壁４５と発光部４４とが形成され、これらの発光部４４が長手方向に複数の列を成し、各隔壁４５が発光部４４の各列の間に形成され、各カソード配線電極４２が発光部４４の各列の上でかつ隔壁４５を除く部分にそれぞれ形成され、各隔壁４５はその一方の側に隣接する発光部４４とその発光部４４とは隔壁４５を挟んで反対の側に隣接する別の発光部との間において曲点５０ａ〜５０ｄを有するよう構成されている。これにより、全ての発光部を隙間なく一列に配置した場合より大きな面積を有する発光部４４が配置されても発光部４４の隣接する列の間が絶縁され、各発光部４４の光量がより大きくなる。
【００５０】
即ち発光部４４の周囲において、隔壁４５が発光部４４を避けるように曲点５０ａ〜５０ｄを設けて配置することで、発光部４４のサイズを大きくすることができるのである。なお、上述したように、実施例１では隔壁は発光部４４の周囲に曲点５０ａ〜５０ｄを設けて、曲点間を直線状に形成したが、曲点間を曲線にて滑らかに結ぶような隔壁形状としても構わない。要は、隔壁を一本の直線状に形成するのではなく、発光部の周囲で発光部を避けるように配置することが本発明の本質である。
【００５１】
なおかつ、各ＩＴＯ電極（すなわち本実施例１においてはアノードＩＴＯ電極４３）は各発光部４４の列毎に１個の発光部４４がその上に配置されるよう全ての発光部４４の列にまたがっていて、各アノードＩＴＯ電極４３が面状に形成され、その上に形成される複数の発光部４４が面状に配置されている。これにより、ＩＴＯ電極のインピーダンスが下がるので、露光装置３の駆動特性（立ち上がり時間、立下がり時間、駆動電流値等）が改善され、露光装置３の消費電力が小さくなる。
【００５２】
なお、本実施例１において各発光部４４は実質的に正方形の形状を有するものとして説明したが、他の形状、例えば多角形や円形状を有するものであってもよい。
【００５３】
以上説明したように本実施例１によれば、上記の構成により各発光部４４の間がより広くなるので、各発光部４４の面積が画像形成時における隣接画素の間隔と同等かそれ以上に大きく取れ、結果として各発光部４４の光量がより大きくなる。
また、以上のような構成を有する露光装置３が画像形成装置に搭載されれば、露光装置３の最大露光量が大きくなるので、ダイナミックレンジの広い画像が形成される。
（実施例２）
図９は、図２の露光装置３の領域Ｂにおける別の拡大概略構成図である。また、図１０は図９における領域Ｇの拡大概略図である。さらに、図１１は図１０における領域Ｈの拡大概略図である。なお、図１１の断面構造は基本的に実施例１における図７と同様であり、図９の領域Ｉの構造も基本的に実施例１における図８と同様である。また、以上のような構成を有する露光装置３を上面から見た概略構成図およびその断面図は実施例１における図２および図３と同一であり、そのような露光装置３を搭載した電子写真装置の構成および動作についても実施例１において説明したものと同一であるので、本実施例２では省略する。
【００５４】
本実施例２の構成およびその作用効果も、基本的には実施例１と同様であるが、本実施例２が実施例１と特に異なる部分は図１０および図１１に表されている。すなわち、各隔壁４５は、その一方の側に隣接する発光部と隔壁４５を挟んでその反対の側に隣接しかつ最も近い発光部との間に二つの曲点５０ｅおよび５０ｆを有し、各曲点の間が全て実質的に直線となるよう構成されている。このように曲点の数を減らし、隔壁の直線部分を増加することで、各発光部４４の列を挟む二つの隔壁４５の間隔が発光部４４の周辺部以外において実質的に等しくなり、有機ＥＬ材料等の発光材料を含む溶剤をスピンコート等で塗布する際に溶剤が淀みなく均一に塗布されるので、各発光部４４の形状、厚みに依存する露光量等のばらつきが小さくなる。実施例２についても実施例１と同様に、隔壁の曲点間を滑らかな曲線で結ぶようにしてもよい。
【００５５】
また、本実施例２においては実施例１に比べて、ある発光部とその隣の画素を形成する発光部との間を通る隔壁４５やカソード蒸着電極４８をより余裕を持って配置される。これを実施例１の図６および本実施例２の図１１を用いて説明する。なお、図６および図１１とも、露光装置３は６００ｄｐｉ（ｄｐｉ＝ドット・パー・インチ）の潜像を形成することを想定している。したがって一つの画素の潜像を形成する発光部４４の大きさＬｐ＝４２．３μｍ四方である。さらに、発光部４４と隔壁４５との間の距離Ｌｐｗ＝６．０μｍ、隔壁の幅Ｌｗ（Ｌｗ＝１５．０μｍ）とする。
【００５６】
図６において、発光部４４ａと発光部４４ｂとの間には隔壁４５ａ〜ｃの３本と、それらのそれぞれの間に形成されるカソード蒸着電極４８ａおよび４８ｂの２本が２画素分の幅の中に配置されている。したがってこの部分のカソード蒸着電極４８の幅Ｌｃ１は、
Ｌｃ１＝｛（Ｌｐ×２−Ｌｐｗ×２）−Ｌｗ×３｝／２
＝１３．８μｍ
となる。
【００５７】
次に図１１において、発光部４４ｃと発光部４４ｄとの間には隔壁４５ｄ〜ｈの５本と、それらのそれぞれの間に形成されるカソード蒸着電極４８ｃおよび４８ｆの４本が４画素分の幅の中に配置されている。したがってこの部分のカソード蒸着電極４８の幅Ｌｃ２は、
Ｌｃ２＝｛（Ｌｐ×４−Ｌｐｗ×２）−Ｌｗ×５｝／４
＝２０．６μｍ
となる。
【００５８】
よってＬｃ２＞Ｌｃ１となるので、本実施例２の方が実施例１に比べてある発光部とその隣の画素を形成する発光部との間を通る隔壁４５やカソード蒸着電極４８をより余裕を持って配置されていることがわかる。
【００５９】
なお、実施例１の図６および本実施例２の図１１において、発光部４４の大きさＬｐ＝４２．３μｍ四方としたが、発光部４４と隔壁４５との間の距離Ｌｐｗを狭くすればこれよりも大きな発光部を形成することが可能である。この場合、発光部４４の大きさは１画素のサイズよりも大きくなる。
【００６０】
以上説明したように本実施例２によれば、上記の構成により各発光部４４の間がより広くなるので、各発光部４４の面積が画像形成時における隣接画素の間隔と同等かそれ以上に大きく取れ、結果として各発光部４４の光量がより大きくなる。
【００６１】
なお、以上のような構成を有する露光装置３が画像形成装置に搭載されれば、露光装置３の最大露光量が大きくなるので、ダイナミックレンジの広い画像が形成される。
【産業上の利用可能性】
【００６２】
以上のように、本発明にかかる露光装置およびそれを搭載した電子写真装置は、最大露光量が大きくなりダイナミックレンジの広い画像が形成されるところから、例えば粉体の電子写真方式によるプリンタ、複写機、ファクシミリ装置、およびオンデマンド印刷機などへの利用が可能である。
【図面の簡単な説明】
【００６３】
【図１】本発明の露光装置を搭載した電子写真装置の実施例に係る構成を示した模式図
【図２】本発明の実施例１における露光装置を上面からみた概略構成図
【図３】図２のＡ−Ａ線における概略断面図
【図４】図２の露光装置の領域Ｂにおける拡大概略構成図
【図５】図４における領域Ｃの拡大概略図
【図６】図５における領域Ｄの拡大概略図
【図７】図６のＥ−Ｅ線上においてひとつの発光部およびその両側に配置された隔壁部分の概略断面を示す図
【図８】図４の領域Ｆの拡大概略図
【図９】図２の露光装置の領域Ｂにおける実施例２の拡大概略構成図
【図１０】図９における領域Ｇの拡大概略図
【図１１】図１０における領域Ｈの拡大概略図
【図１２】特許文献１に示す光書き込み装置の概略構成図
【図１３】特許文献１に示す光書き込み装置のスリツトの概略構成図
【符号の説明】
【００６４】
１    感光体
２    帯電器
３    露光装置
４〜７    現像器
８〜１１    現像ローラ
１２    転写手段
１３    中間転写ローラ
１４    記録紙
１５    加圧ローラ
１６    クリーナ
３１    発光部形成領域
３２    アノードドライバ
３３    カソードドライバ
３４    外部Ｉ／Ｆコネクタ
３５    ガラス基板
３６    ガラス封止部
３７    レンズアレイ
４１    アノード配線電極
４２    カソード配線電極
４３    アノードＩＴＯ電極
４４    発光部
４５    隔壁
４６    絶縁層
４７    発光材料層
４８    アルミ蒸着層（カソード蒸着電極）
４９    カソードＩＴＯ電極
５０ａ〜ｆ    曲点
６２    陽極導体
６３    蛍光体層
６４    制御電極
６５    スリツト
【図１】
2006110788.tif 000003
【図２】
2006110788.tif 000004
【図３】
2006110788.tif 000005
【図４】
2006110788.tif 000006
【図５】
2006110788.tif 000007
【図６】
2006110788.tif 000008
【図７】
2006110788.tif 000009
【図８】
2006110788.tif 000010
【図９】
2006110788.tif 000011
【図１０】
2006110788.tif 000012
【図１１】
2006110788.tif 000013
【図１２】
2006110788.tif 000014
【図１３】
2006110788.tif 000015